(57)【要約】      （修正有）【課題】遮蔽板の傾きを回避することが可能で、かつ、旧来タイプ、フラットタイプの床付き布わくのいずれにおいても適用できる仮設足場用幅木を提供する。【解決手段】床付き布わくの幅方向の外側縁部に配置される幅木本体５と、該幅木本体の下端につながる遮蔽板とを備えた仮設足場用幅木につき、幅木本体の長手方向のそれぞれの端部に、仮設足場を構成する横架材の胴体外周面に適合する凹部を有し該凹部を該横架材の胴体外周面に適合させて該幅木本体の、該横架材に対する位置決めを行う位置決めハンガー９を設け、該位置決めハンガーは、頭頂部が床面よりも高いレベルにあるつかみ金具を備えた床付き布わくを適用する際に使用される第１のハンガー９ａと、該第１のハンガーの基部に保持され、頭頂部が床面と同等レベルにあるつかみ金具を備えた床付き布わくを適用する際に使用される第２のハンガー９ｂの少なくとも２種で構成する。【選択図】図４
0003234638.tif 000002
【実用新案登録請求の範囲】
【請求項１】
床付き布わくの幅方向の外側縁部に沿って起立姿勢で配置される幅木本体と、該幅木本体の下端に一体的につながり該床付き布わくの幅方向の外側縁部で該幅木本体との相互間に形成される隙間を塞ぐ遮蔽板とを備えた仮設足場用幅木であって、
前記幅木本体の長手方向のそれぞれの端部に、仮設足場を構成する横架材の胴体外周面に適合する凹部を有し該凹部を該横架材の胴体外周面に適合させて該幅木本体の、該横架材に対する位置決めを行う位置決めハンガーを設け、
該位置決めハンガーは、頭頂部が床面よりも高いレベルにあるつかみ金具を備えた床付き布わくを適用する際に使用される第１のハンガーと、該第１のハンガーの基部に保持され、頭頂部が床面と同等レベルにあるつかみ金具を備えた床付き布わくを適用する際に使用される第２のハンガーの少なくとも２種からなることを特徴とする仮設足場用幅木。
【請求項２】
前記第２のハンガーは、第１のハンガーの基部に枢軸を介して連結され、該枢軸を中心に回動させてその凹部を、第１のハンガーの凹部の直下で前記横架材の胴体外周面に適合させる回動軌道を有することを特徴とする請求項１に記載した仮設足場用幅木。
【請求項３】
前記第１のハンガーは、その基部に、前記第２のハンガーの凹部が前記横架材の胴体外周面に適合する適合姿勢において該第２のハンガーの背面部に当接してその回動を規制するストッパーを有することを特徴とする請求項２に記載した仮設足場用幅木。
【請求項４】
前記第２のハンガーは、第１のハンガーの基部に保持され、該第２のハンガーを第１のハンガーに沿いスライドさせてその凹部を、第１のハンガーの凹部の直下にて前記横架材の胴体外周面に適合させる直線軌道を有することを特徴とする請求項１に記載した仮設足場用幅木。
【請求項５】
前記第１のハンガーは、その基部に、前記第２のハンガーの凹部が前記横架材の胴体外周面に適合する適合姿勢において該第２のハンガーのスライドを規制するストッパーを有することを特徴とする請求項４に記載した仮設足場用幅木。
【考案の詳細な説明】
【技術分野】
【０００１】
本考案は、建築現場や土木工事現場において構築される仮設足場、とくに、つかみ金具を横架材に引っ掛けて床付き布わくを設置する仮設足場に用いて好適な仮設足場用幅木に関するものである。
【背景技術】
【０００２】
建築現場や土木工事現場において構築される仮設足場は、縦方向に延びる支柱とこの支柱に水平姿勢でつながる横架材とを適宜組み合わせ、対向する横架材の相互間にフックを備えた床付き布わくを架け渡すことによって構成されている。
【０００３】
通常、この種の仮設足場は、床付き布わくの床面に置かれた工具等や作業者が、該床面から誤って落下するのを防止する観点から、床付き布わくの外側縁部には、該床面と交差する向きに立ち上った長尺の幅木（つま先板）が設置されており、この点に関する先行技術としては、例えば、特許文献１が参照される。
【０００４】
かかる幅木は、幅木の背面に設けられた固定手段を介して支柱に固定されるが、とくに、床付き布わくの幅方向の外側縁部で幅木との相互間に形成される隙間を塞ぐための遮蔽板が備えられたＬ型形状をなす幅木にあっては、図１７に示すように、遮蔽板が傾き、その先端が跳ね上がった状態になると、その跳ね上がり部分に足等を引掛けて躓いてしまうことがある。このため、図１８に示すように、床付き布わくの床面と遮蔽板とが平行または若干高い位置になるように支柱に対する固定をしなければならない。
【０００５】
また、幅木が取り付けられる床付き布わくは、つかみ金具の頭頂部が床面よりも２０ｍｍ程度突出した図１９に示すような旧来タイプの床付き布わくと、つかみ金具の頭頂部が床面と同等レベルにあり、該つかみ金具の突出部分での躓きの回避を図った安全性の高い図２０に示すようなフラットタイプの床付き布わくの２種類が混在して使用されている状況にある。旧来タイプの床付き布わくとフラットタイプの床付き布わくとでは、横架材から床付き布わくの床面に至るまでの垂直距離が異なるため、それに伴い幅木の支柱に対する取り付け位置も変わるので、いずれのタイプに使用しても床付き布わくの床面に対し遮蔽板が平行または若干高い位置に固定できる兼用タイプの幅木が求められるようになった。
【先行技術文献】
【特許文献】
【０００６】
【特許文献１】特開２０１８−０３５５７６号公報
【考案の概要】
【考案が解決しようとする課題】
【０００７】
本考案は、遮蔽板の傾きが防止され、かつ、旧来タイプ、フラットタイプの床付き布わくのいずれにも簡単に取り付けることができる仮設足場用幅木を提案するところにある。
【課題を解決するための手段】
【０００８】
本考案は、床付き布わくの幅方向の外側縁部に沿って起立姿勢で配置される幅木本体と、該幅木本体の下端に一体的につながり該床付き布わくの幅方向の外側縁部で該幅木本体との相互間に形成される隙間を塞ぐ遮蔽板とを備えた仮設足場用幅木であって、前記幅木本体の長手方向のそれぞれの端部に、仮設足場を構成する横架材の胴体外周面に適合する凹部を有し該凹部を該横架材の胴体外周面に適合させて該幅木本体の、該横架材に対する位置決めを行う位置決めハンガーを設け、該位置決めハンガーは、頭頂部が床面よりも高いレベルにあるつかみ金具を備えた床付き布わくを適用する際に使用される第１のハンガーと、該第１のハンガーの基部に保持され、頭頂部が床面と同等レベルにあるつかみ金具を備えた床付き布わくを適用する際に使用される第２のハンガーの少なくとも２種からなることを特徴とする仮設足場用幅木である。
【０００９】
上記の構成からなる仮設足場用幅木において、
１）前記第２のハンガーは、第１のハンガーの基部に枢軸を介して連結され、該枢軸を中心に回動させてその凹部を、第１のハンガーの凹部の直下で前記横架材の胴体外周面に適合させる回動軌道を有すること、
２）前記第１のハンガーは、その基部に、前記第２のハンガーの凹部が前記横架材の胴体外周面に適合する適合姿勢において該第２のハンガーの背面部に当接してその回動を規制するストッパーを有すること、
３）前記第２のハンガーは、第１のハンガーの基部に保持され、該第２のハンガーを第１のハンガーに沿いスライドさせてその凹部を、第１のハンガーの凹部の直下にて前記横架材の胴体外周面に適合させる直線軌道を有すること、
４）前記第１のハンガーは、その基部に、前記第２のハンガーの凹部が前記横架材の胴体外周面に適合する適合姿勢において該第２のハンガーのスライドを規制するストッパーを有すること、
が課題解決のための具体的手段として好ましい。
【考案の効果】
【００１０】
本考案によれば、幅木本体の、横架材に対する位置決めを行う位置決めハンガーを、第１のハンガーと第２のハンガーで構成し、旧来タイプの床付き布わく、フラットタイプの床付き布わくの違いに応じて第１のハンガー、第２のハンガーを使い分けるようにしたため、遮蔽板を水平姿勢に維持した状態で幅木を迅速に取り付けることができる。
【図面の簡単な説明】
【００１１】
【図１】仮設足場の一部分のみを取り出して示した外観斜視図である。
【図２】図１に示した仮設足場に幅木を取り付けた状態を模式的に示した参考外観斜視図である。
【図３】本考案にしたがう仮設足場用幅木の正面図である。
【図４】図３に示した仮設足場用幅木の背面図である。
【図５】図３に示した仮設足場用幅木の平面図である。
【図６】図３に示した仮設足場用幅木の左側面図である。
【図７】図３に示した仮設足場用幅木の右側面図である。
【図８】図４のＡ−Ａ断面図である。
【図９】図４のＢ−Ｂ断面図である。
【図１０】旧来タイプの床付き布わくを適用して構築された仮設足場に本考案にしたがう仮設足場用幅木を取り付けた状態をその背面について示した図である。
【図１１】本考案にしたがう仮設足場用幅木の使い方の説明図である。
【図１２】本考案にしたがう仮設足場用幅木の使用状態を示した図である。
【図１３】本考案にしたがう仮設足場用幅木の固定要領の説明図である。
【図１４】（ａ）〜（ｃ）は、本考案にしたがう仮設足場用幅木の他の実施の形態を示した図である。
【図１５】（ａ）、（ｂ）は、図１４に示した仮設足場用幅木の使用状態を示した図である。
【図１６】本考案にしたがう仮設足場用幅木の収納状態を示した図である。
【図１７】仮設足場用幅木の取り付け状況を示した図である。
【図１８】仮設足場用幅木の取り付け状況を示した図である。
【図１９】旧来タイプの床付き布わくを用いた仮設足場に仮設足場用幅木を取り付けた状態を示した図である。
【図２０】フラットタイプの床付き布わくを用いた仮設足場に幅木を取り付けた状態を示した図である。
【考案を実施するための形態】
【００１２】
以下、図面を参照して本考案をより具体的に説明する。
図１は、仮設足場の一部分のみを取り出して示した外観斜視図であり、図２は、図１に示した仮設足場に遮蔽板を備えた幅木を取り付けた状態を模式的に示した参考外観斜視図である。
【００１３】
本考案にしたがう仮設足場用幅木は、図２に示すような状態で支柱および横架材に取り付けられるものである。なお、図１、２における符号１は、仮設足場の支柱、２は、水平姿勢で支柱１に連結される横架材、３は、横架材２の相互間にフックｆを介して着脱自在に配置される床付き布わく、４は、遮蔽板を備えた幅木である。支柱１、横架材２、床付き布わく３、幅木４は、いずれも金属製部材で構成されたものが用いられる。
【００１４】
図３は、本考案にしたがう仮設足場用幅木の正面図（仮設足場用幅木の長手方向の中央部分は、一点鎖線で表示しその間は省略してある）であり、図４は、図３に示した仮設足場用幅木の背面図であり、図５は、図３に示した仮設足場用幅木の平面図であり、図６は、図３に示した仮設足場用幅木の左側面図であり、図７は、図３に示した仮設足場用幅木の右側面図である。また、図８は、図４のＡ−Ａ断面図であり、図９は、図４のＢ−Ｂ断面を示した図である。
【００１５】
図３〜９における符号５は、床付き布わく３の幅方向の外側縁部に沿って起立姿勢で配置される幅木本体、６は、幅木本体５の下端に一体的につながり該床付き布わく３の幅方向の外側縁部で幅木本体５との相互間に形成される隙間を塞ぐ遮蔽板、７、８は、幅木本体５の長手方向のそれぞれの端部５ａ、５ｂに設けられ、幅木本体５を、支柱１の胴体外周面に当接させて固定する固定手段である。遮蔽板６としては、幅木本体５とは別体物で構成してつなぎ合わせたものとしてもよく、その上面には、滑り止め用の凸部を複数設けておく。
【００１６】
固定手段７、８は、支柱１の胴体外表面に当接する凹部ｃ１、ｃ２を備えた受け部７ａ、８ａと、受け部７ａ、８ａとの相互間で支柱１を挟持して幅木本体５を支柱１固定するフック７ｂ、８ｂとで構成されたものが適用される。
【００１７】
フック７ｂ、８ｂは、受け部７ａ、８ａの下端につながるＣ字あるいは逆Ｃ字状断面をなし幅木本体５にリベット止め等によって固定されるホルダー７ｃ、８ｃにナット７ｄ、８ｄを介して抜け止め支持したものを例として示しているが、図示のものに限定されない。
【００１８】
受け部７ａ、８ａの凹部ｃ１、ｃ２と、フック７ｂ、８ｂとの間には、それぞれ、仮設足場用幅木の取り付けに際して支柱１の受け入れを容易にするために、図５に示すように、同一方向に向けて開放された開放部Ｋ１、Ｋ２が設けられている。
【００１９】
フック７ｂは、幅木本体５の長手方向に沿って伸延する軸芯Ｌ１を有し該軸芯Ｌ１の周りに回動可能なロッド７ｂ１と、該ロッド７ｂ１の端部に片持ち状態でつながり該ロッド７ｂ１の回動に同期して回動可能で、かつ、受け部７ａの対向位置に廻り込んで該受け部７ａとの相互間で支柱１を挟持する鉤状部材７ｂ２からなっている。
【００２０】
また、フック８ｂは、幅木本体５の長手方向に沿って伸延する軸芯Ｌ２を有し該軸芯Ｌ２の周りに回動可能なロッド８ｂ１と、該ロッド８ｂ１の端部に片持ち状態でつながり該ロッド８ｂ１の回動に同期して回動可能で、かつ、受け部８ａの対向位置に廻り込んで該受け部８ａとの相互間で支柱１を挟持する鉤状部材８ｂ２からなっている。
【００２１】
固定手段７のフック７ｂは、ロッド７ｂ１の軸芯Ｌ１に沿い該ロッド７ｂ１を鉤状部材７ｂ２とともにスライド可能に支持し、かつ、該鉤状部材７ｂ２と受け部７ａとによる支柱１の挟持姿勢において該鉤状部材７ｂ２を支柱１に向けて押当てる弾性部材７ｅを有しており、固定手段８のフック８ｂは、ロッド８ｂ１の軸芯Ｌ２に沿いロッド８ｂ１が鉤状部材８ｂ２とともにスライド不能に保持されている。
【００２２】
固定手段７は、幅木本体５の端部５ａの上部に設けられた場合に、固定手段８は、幅木本体５の長手方向の端部５ｂの下部に設けられ、固定手段７が、該幅木本体５の長手方向の端部５ａの下部に設けられた場合に、固定手段８は、該幅木本体５の長手方向の端部５ｂの上部に設けられる互い違い配置とするのが好ましく、これにより、複数枚の仮設足場用幅木を、床付き布わく３の長手方向に沿って連続的に配列、支柱１に取り付けること可能である。
【００２３】
また、図３〜９における符号９、１０は、幅木本体５の長手方向の端部５ａ、５ｂの下端にそれぞれリベット止め等により設けられ、横架材２の胴体外周面に凹部を適合させて幅木本体５の、横架材２に対する位置決めを行う位置決めハンガーである。
【００２４】
位置決めハンガー９、１０は、凹部ｃ３、ｃ４を有し、頭頂部が床面よりも高いレベルにあるつかみ金具を備えた旧来タイプの床付き布わくを適用する際に使用される第１のハンガー９ａ、１０ａと、第１のハンガー９ａ、１０ａの基部に保持され、頭頂部が床面と同等レベルにあるつかみ金具を備えたフラットタイプの床付き布わくを適用する際に使用される第２のハンガー９ｂ、１０ｂの少なくとも２種から構成されている。
【００２５】
第２のハンガー９ｂ、１０ｂは、横架材２の胴体外周面に適合する凹部ｃ５、ｃ６が設けられており、第１のハンガー９ａ、１０ａの基部に枢軸１１、１２を介して連結され、該枢軸１１、１２を中心に回動させてその凹部ｃ５、ｃ６を、第１のハンガー９ａ、１０ａの凹部ｃ３、ｃ４の直下で横架材２の胴体外周面に適合させる回動軌道を有している。本考案では、枢軸１１、１２は、第２のハンガー９ｂ、１０ｂに形成された窓孔を通り抜けるボルトとこのボルトに係合するナットからなるものを例として示してあるが、枢軸１１、１２は、図示のものに限定されない。なお、ボルト部には、ばね座金（図示せず）を入れてもよい。
【００２６】
また、図３〜９における符号１３、１４は、第１のハンガー９ａ、１０ａの基部にリベット止め等により設けられ、第２のハンガー９ｂ、１０ｂの凹部ｃ５、ｃ６が横架材２の胴体外周面に適合する適合姿勢において第２のハンガー９ｂ、１０ｂの背面部に当接してその回動を規制するストッパーである。ストッパー１３、１４は、第１のハンガー９ａ、１０ａとは別部材からなるものを例として示してあるが、ストッパー１３、１４は、第１のハンガー９ａ、１０ａの基部に一体連結した舌片状のものを適用することもできる。
【００２７】
図１０は、旧来タイプの床付き布わくを適用して構築された仮設足場に本考案にしたがう仮設足場用幅木を取り付けた状態をその背面について示した図である。なお、図１０においていずれか一方の幅木は、本考案にしたがう仮設足場用幅木に隣接配置される幅木であるが、その幅木は、本考案にしたがう仮設足場用幅木と同一の構成からなる仮設足場用幅木が用いられるため、隣接配置される幅木に付された符号も、本考案にしたがう仮設足場用幅木と同一の符号を用いて表示することとする。
【００２８】
旧来タイプの床付き布わくが適用された仮設足場においては、図１０に示すように、第１のハンガー９ａ、１０ａの凹部ｃ３、ｃ４を横架材２の胴体外周面に適合させて幅木本体５の位置決めを行う。
【００２９】
フラットタイプの床付き布わくが適用された仮設足場においては、第２のハンガー９ｂ、１０ｂを図１１に示すように回動させてその凹部ｃ５、ｃ６を、第１のハンガー９ａ、１０ａの直下に位置させ、その凹部ｃ５、ｃ６を図１２に示すように、横架材２の胴体外周面に適合させて幅木本体５の位置決めを行う。
【００３０】
なお、ハンガーの位置決めに際しては、支柱１への幅木本体５の固定も同時に行う。幅木本体５を、支柱１に固定するには、図１３の上図に示すように、固定手段８の受け部８ａとフック８ｂとの間に支柱１を位置せしめるとともに、フック７ｂを弾性部材７ｅの付勢力に抗するように引っ張りながら該フック７ｂと受け部７ａとの相互間に支柱１を位置させたのち図１３の下図のようにフック７ｂの引っ張りを解除すればよい。
【００３１】
位置決めハンガー９、１０の第１のハンガー９ａ、１０ａには、幅木本体５の取り付け姿勢の安定化を図るため、支柱１の胴体外周面に当接可能な舌片９ａ１、９ａ２、１０ａ１、１０ａ２を設けておくことができ、第２のハンガー９ｂ、１０ｂには、支柱１の胴体外周面に当接可能な凹部ｃ７、ｃ８を設けておくことができる。
【００３２】
図１４（ａ）〜（ｃ）は、本考案にしたがう仮設足場用幅木の他の実施の形態を位置決めハンガー９の平面、背面および側面について示した図である。位置決めハンガー９の第２のハンガー９ｂに、枢軸１１が通り抜ける長孔１５を設け、図１５（ａ）、（ｂ）に示すように、該長孔１５の範囲内で該第２のハンガー９ｂを幅木本体５の長手方向にスライドさせてその凹部ｃ５を、第１のハンガー９ａの凹部ｃ３の直下にて横架材２の胴体外周面に適合させる直線軌道を有するものとすることも可能であり、このような第２のハンガー９ｂを備えておくことによっても、タイプの異なる床付き布わくであるかどうかにかかわりなしに使用することができる。
【００３３】
なお、図１４（ａ）〜（ｃ）においては、第２のハンガー９ｂについてのみ図示したが、第２のハンガー１０ｂも同様の構成を採用することができる。直線軌道を有する第２のハンガー９ｂ、１０ｂを備えたものにあっては、図示はしないが、凹部ｃ４、ｃ６の、横架材２の胴体外周面に対する適合姿勢において、第２のハンガー９ｂ、１０ｂが不用意にスライドしないようストッパーを設けておくのが好ましい。また、第２のハンガー９ｂ、１０ｂは、所定の位置に達したところでナットを締め込むことによりその位置で固定してもよい。
【００３４】
図１６は、本考案にしたがう仮設足場用幅木の３基を重ね合わせ状態で示した図である。本考案にしたがう仮設足場用幅木は、コンパクトにまとめておくことが可能であり、収納時や運搬時等の取り扱いも容易である。
【産業上の利用可能性】
【００３５】
本考案によれば、遮蔽板が傾くのを回避することが可能で、かつ、旧来タイプ、フラットタイプの床付き布わくのいずれにおいても、遮蔽板を水平姿勢に維持した状態で効率的に取り付けることが可能な仮設足場用幅木が提供できる。
【符号の説明】
【００３６】
１      支柱
２      横架材
３      床付き布わく
４      幅木
５      幅木本体
５ａ    端部
５ｂ    端部
６      遮蔽板
７      固定手段
７ａ    受け部
７ｂ    フック
７ｂ１  ロッド
７ｂ２  鉤状部材
７ｃ    ホルダー
７ｄ    ナット
７ｅ    弾性部材
８      固定手段
８ａ    受け部
８ｂ    フック
８ｂ１  ロッド
８ｂ２  鉤状部材
８ｃ    ホルダー
８ｄ    ナット
９      位置決めハンガー
９ａ    第１のハンガー
９ａ１  舌片
９ａ２  舌片
９ｂ    第２のハンガー
１０    位置決めハンガー
１０ａ  第１のハンガー
１０ａ１  舌片
１０ａ２  舌片
１０ｂ  第２のハンガー
１１    枢軸
１２    枢軸
１３    ストッパー
１４    ストッパー
１５    長孔
ｃ１    凹部
ｃ２    凹部
ｃ３    凹部
ｃ４    凹部
ｃ５    凹部
ｃ６    凹部
ｃ７    凹部
ｃ８    凹部
ｆ      フック
Ｋ１    開放部
Ｋ２    開放部
Ｌ１    軸芯
Ｌ２    軸芯
【図１】
0003234638.tif 000003
【図２】
0003234638.tif 000004
【図３】
0003234638.tif 000005
【図４】
0003234638.tif 000006
【図５】
0003234638.tif 000007
【図６】
0003234638.tif 000008
【図７】
0003234638.tif 000009
【図８】
0003234638.tif 000010
【図９】
0003234638.tif 000011
【図１０】
0003234638.tif 000012
【図１１】
0003234638.tif 000013
【図１２】
0003234638.tif 000014
【図１３】
0003234638.tif 000015
【図１４】
0003234638.tif 000016
【図１５】
0003234638.tif 000017
【図１６】
0003234638.tif 000018
【図１７】
0003234638.tif 000019
【図１８】
0003234638.tif 000020
【図１９】
0003234638.tif 000021
【図２０】
0003234638.tif 000022